(57)【要約】      （修正有）【課題】従来の家具は、引き出し収容部に仕切り部材を装着して複数の区画に仕切らなければ小引き出しを収容することが出来なかった。仕切り部材を固定する為のコストを低減するとともに、棚板の撓みによる操作性を損なう可能性を減少する。【解決手段】本体１の内部空間に棚板１Ｆを設け、引き出し収納部１Ｇを複数形成し、少なくとも1箇所の収納部１Ｇを除いた他の収納部１Ｇに、大引き出し２を収納する。更に、大引き出し２を収納していない少なくとも1箇所の収納部１Ｇには、小引き出し３を、複数個を横に配置し、その総横幅が大引き出し１の横幅と同寸とし、複数の小引き出し３の隣接する小引き出し３の間に間仕切りを設けない。【選択図】図３
2006271420.tif 000002
【特許請求の範囲】
【請求項１】
本体の内部空間に棚板を設け、引き出し収納部を複数形成し、少なくとも1箇所の収納部を除いた他の収納部に、大引き出しを収納する。更に、大引き出しを収納していない少なくとも1箇所の収納部には、小引き出しを、複数個を横に配置し、その総横幅が大引き出しの横幅と同寸とし、複数の小引き出しの隣接する小引き出しの間に間仕切りを設けないことを特徴とする家具。
【請求項２】
本体の内部空間に棚板を設け、引き出し収納部を複数形成し、少なくとも1箇所の収納部を除いた他の収納部に、大引き出しを収納する。更に、大引き出しを収納していない少なくとも1箇所の収納部には、小引き出しを、複数個を横に配置し、その総横幅が大引き出しの横幅と同寸とし、各小引き出しにおいては、その横幅より狭い横幅の前板を、各小引き出しの前面に左右の何れからもはみ出すことの無い様に其々設け収納する。複数の小引き出しの隣接する小引き出しの間に間仕切りを設けないことを特徴とする請求項1記載の家具。
【請求項３】
大引き出しの前板の上面、又は、その裏面にある大引き出し前部の上面が棚板の撓み止め部材となる大引き出しを収納する請求項1記載の家具。
【請求項４】
大引き出しの前板の、裏面にある大引き出し前部の裏面と向う板前面の間に撓み止め部材を設けた大引き出しを収納する請求項1記載の家具。
【発明の詳細な説明】
【技術分野】
【０００１】
本発明は、主に引き出しを収納することが可能な家具に関する。
【背景技術】
【０００２】
従来の家具は、複数段の引出しを備えた収納家具において、家具本体の複数段の引出し収容部のいずれかに、引出し収容部を複数の区画に仕切る仕切り部材を着脱自在に設けたことを特徴とする。このような構成とすることにより、複数段の引出し収容部のうちのいずれかを選択して仕切り部材を装着すれば、複数の区画に仕切られる引出し収容部の位置を自由に変えることが可能となるため、使用者の要望などに応じて、引出しの配置状態を変更することができるようになる。とする技術を施したものがある。（特許文献1参照。）
【０００３】
以下、図７により従来の、引出し収容部を複数の区画に仕切る仕切り部材を着脱自在に設けたことを特徴とする収納家具について説明する。
【０００４】
整理箪笥１０の箪笥本体１８には、複数段の引出し収容部２１〜２７が形成され、これらの引出し収容部２１〜２７に、それぞれ引出し１１〜１７が出し入れ自在に装着されている。また、箪笥本体１８の最上部分にある引出し収容部２１を複数の区画に仕切る仕切り部材１９は、他の引出し収容部２１〜２７に対しても着脱自在である。
【特許文献１】特開平１１−３３２６６７号公報（解決手段参照、図１）
【発明の開示】
【発明が解決しようとする課題】
【０００５】
しかし、前述の如く、引出し収容部を複数の区画に仕切る仕切り部材を着脱自在に設け、複数段の引出し収容部のうちのいずれかを選択して仕切り部材を装着し、複数の区画に仕切られる引出し収容部の位置を自由に変える技術を用いた場合の課題として、その製品の製造コストの増加が発生する。即ち、着脱可能な仕切り部材を複数段の引出し収容部のうちのいずれにも装着を可能とする為には、すべての収容部に仕切り部材を着脱可能に固定するための係止手段を設ける必要があり、その分の製造コストの増加は避けられない。しかも、使用者にとっては、仕切り部材を装着する任意の引き出し収容部以外の引き出し収容部に設けた係止手段は殆んど使うことのないものである。
【０００６】
更に、当該技術による仕切り部材によって仕切られた複数の区画を有する引き出し収容部を形成した棚板は、その構造上、撓みが発生しやすいものとなる。何故ならば、引き出し収容部に仕切り部材を装着せずにその容積に応じた引き出しを収容して使用する場合は、棚板にかかる荷重の殆んどが棚板と側板の接合部に作用する為問題はないが、仕切り部材によって仕切られた場合では、複数の引き出しを1枚の棚板の上に収容することとなる。仕切り部材の係止手段は、車輪等による係止方法であり棚板の撓みに対する考慮が為されておらず、仕切り部材を装着した部位の左右に収容した引き出しの荷重が棚板のみに作用する為棚板が撓みやすくなり、引き出しの操作性を著しく損なう可能性が発生する。
【０００７】
本発明は、以上のような問題を解決する為になされたもので、収納家具において、使用者の要望する使用形態に応じて任意の収納部に小引き出しを収納して使用することを目的とするものである。
【課題を解決するための手段】
【０００８】
本発明は、上記目的を達成する為の第一の課題解決手段として、本体の内部空間に棚板を設け、引き出し収納部を複数形成し、少なくとも1箇所の収納部を除いた他の収納部に、大引き出しを収納する。更に、大引き出しを収納していない少なくとも1箇所の収納部には、小引き出しを、複数個を横に配置し、その総横幅が大引き出しの横幅と同寸とし、複数の小引き出しの隣接する小引き出しの間に間仕切りを設けない。
【０００９】
或いは、各小引き出しにおいて、その横幅より狭い横幅の前板を、各小引き出しの前面に左右の何れからもはみ出すことの無い様に其々設ける
【００１０】
更に、大引き出しの前板の上面、又は、その裏面にある大引き出し前部の上面が棚板の撓み止め部材となる大引き出しを収納する事を特徴とする。
【００１１】
又は、大引き出しの前板の、裏面にある大引き出し前部の裏面と向う板前面の間に撓み止め部材を設けた大引き出しを収納する事を特徴とする。
【発明の効果】
【００１２】
本発明は以上に説明したように構成した結果、以下に示すような効果が得られる。
【００１３】
本発明の家具は、小引き出しの左右の配置を変更する場合でも、引き出し収納部内に間仕切を設けていないので左右の小引き出しの横幅が其々異なる場合であっても、容易に配置の変更を可能とする。
【００１４】
又、小引き出しの前面に外付前板を設けた場合でも小引き出しの横幅よりはみ出さない為、引き出し操作時に隣接する小引き出しとの干渉もなく、良好な使用環境を提供するものである。
【００１５】
更に、使用者の任意の使用形態により、家具の上部に収納して使用していた小引き出しを、使用環境の変化、例えば、家庭内で使用する場合、自分で身支度できるようになった子供の成長に合わせて使用させたいとの思いから、子供の手の届く低い位置へ配置を変更する場合であっても、使用者の任意の位置の大引き出しを引き抜き、空いた収納部に小引き出しを収納すればよく、他の操作を一切必要としない。又、小引き出しを収納していた収納部には間仕切がないので引き抜いた大引き出しを、容易に収納することが出来る。
【００１６】
しかも、大引き出し収納部の上部に小引き出しを配置した場合でも、棚板の撓みを大引き出し前部の上面が支えるので、棚板が撓んで引き出しを引き出す際の不具合等が発生することを未然に防ぐことが出来る。
【００１７】
或いは、大引き出し収納部の上部に小引き出しを配置した場合でも、前面に前板を設けた大引き出しの前板の、裏面にある大引き出し前部の裏面から向う板前面の間に撓み止め部材を設けた大引き出しを収納することにより、棚板の撓みを大引き出しに設けた撓み止め部材が支えるので、棚板が撓んで引き出しを引き出す際の不具合等が発生することを未然に防ぐことが出来る。
【００１８】
尚、本体の内部空間に棚板を設ける方法としては、本体と棚板をダボによって接合したり、モクネジによる螺着等により固定する方法、等に限らず、例えば本体の内部に事前に棚受ダボ等を設けておき棚板を載置する方法であっても、本発明の効果は十分である。
【発明を実施するための最良の形態】
【００１９】
以下、図面を参照しながら本発明の実施形態について詳しく説明する。
【００２０】
本発明にかかる家具の要部は図１に示すように、本体１と、大きさの異なる複数の引き出しによる構成からなる。以下、詳細を説明する。
【００２１】
図１は、本体１の各引き出し収納部１Ｇに大引き出し２及び、複数個を横に配置しその総横幅が大引き出し２の横幅と同寸となる小引き出し３を収納した状態を示す。
【００２２】
図２は、天板１Ａ、台輪１Ｂ、右側板１Ｃ、左側板１Ｄ、壁板１Ｅ、の組み合わせによって構成した本体の内部空間に棚板１Ｆを設け引き出し収納部１Ｇを形成する。一部の大引き出し２と小引き出し３を収納する状態を図３に示す。小引き出し３を収納する引き出し収納部１Ｇには間仕切を設けない。また、小引き出し３の前面に図4の如く外付前板３Ａを設けてもよい。
【００２３】
図５にて、本体１に設けた引き出し収納部１Ｇに収納する大引き出し２の、前板２Ａの上面と、その裏面にある大引き出し前部の上面２Ｂが面一となり、ともに引き出し収納部１Ｇに大入れとなり、棚板１Ｆを支える撓み止めとなる。図６では、大引き出し２の前板２Ａの、裏面にある大引き出し前部の裏面２Ｃと向う板前面２Ｄの間に撓み止め部材２Ｅを設けている状態を示す。
【００２４】
以下、上記構成の実施例を説明する。本体１の内部空間に形成した引き出し収納部１Ｇに複数の引き出しを収納するが、任意の引き出し収納部１Ｇに小引き出し３を収納できる。横幅の異なる複数の小引き出し３を、1箇所の引き出し収納部１Ｇ内で左右の配置を変更する場合であっても間仕切りがないので、１杯の小引き出し３を抜き取り他の小引き出し３を横に移動して、空いた空間に再び挿しなおすことが可能である。
【００２５】
また、小引き出し３は複数個を横に配置し、その総横幅が大引き出しの横幅と同寸であるので、大引き出し２と複数の小引き出し３の差し替えも、何等他の操作を必要とせず容易に可能である。
【００２６】
また、大引き出し２の前板２Ａの上面、又は、その裏面にある大引き出し前部の上面２Ｂが棚板１Fを支える撓み止めとなるので、その上の収納部に小引き出し３を収納した場合であっても、棚板１Ｆが撓むことがないという効果が得られる。
尚、大引き出し２の前板２Ａの上面と、その裏面にある大引き出し前部の上面２Ｂの両方が、共に撓み止めとなる必要はなく、どちらかが棚板を支えるものであっても効果は同じである。
【００２７】
或いは、他の実施例においては、大引き出し２の前板２Ａの、裏面にある大引き出し前部の裏面２Ｃと向う板前面２Ｄの間に撓み止め部材２Ｅを設けているので、その上の収納部に小引き出し３を収納した場合であっても、棚板１Ｆが撓むことがないという効果が得られる。
【図面の簡単な説明】
【００２８】
【図１】本発明の構成を示す家具の斜視図
【図２】同家具の本体に棚板を設けた斜視図
【図３】本体に引き出しの一部を収納した斜視図
【図４】小引き出しの他の実施例を示す斜視図
【図５】大引き出しの斜視図
【図６】大引き出しの他の実施例を示す斜視図
【図７】従来の家具の斜視図
【符号の説明】
【００２９】
１本体
１Ａ天板
１Ｂ台輪
１Ｃ右側板
１Ｄ左側板
１Ｅ壁板
１Ｆ棚板
１Ｇ引き出し収納部
２大引き出し
２Ａ前板
２Ｂ大引き出し前部の上面
２Ｃ大引き出し前部の裏面
２Ｄ向う板前面
２Ｅ撓み止め部材
３小引き出し
３Ａ外付前板
【図１】
2006271420.tif 000003
【図２】
2006271420.tif 000004
【図３】
2006271420.tif 000005
【図４】
2006271420.tif 000006
【図５】
2006271420.tif 000007
【図６】
2006271420.tif 000008
【図７】
2006271420.tif 000009